(57)【要約】    【課題】玄関子機のカメラにて撮像される映像の逆光成分を補正するにあたり、補正動作のための操作を不要にして、予め動作している逆光成分の補正動作を保持、或いは、逆光成分の補正動作を始めることにより、利用者の利便性を高める。    【解決手段】玄関子機２から居室親機１への呼出中、或いは、玄関子機及び居室親機の間の通話中において、居室親機の逆光補正信号生成回路２１０にて生成される逆光補正信号により玄関子機のカメラ１０１にて撮像される映像の逆光成分の補正が行われており、その後に通話が終了した場合、これを検出したＣＰＵは、タイマ回路２１４ａにて計時される所定の逆光補正動作時間内、操作部２１３の使用による補正動作のための操作を不要にして、逆光補正信号生成回路における逆光補正信号の生成を継続させて当該補正動作を保持する、或いは、逆光補正信号生成回路における逆光補正信号の生成を開始させて当該補正動作を始める。  【選択図】図１
2008311957.tif 000002
【特許請求の範囲】
【請求項１】
カメラ（１０１）を有する玄関子機（１）と、伝送路（Ｌ1）を経由して前記玄関子機に接続され当該玄関子機からの呼び出しに応答して通話を成立させ、前記玄関子機のカメラにて撮像された映像を出画するためのモニタ（２０５）を有する居室親機（２）とを設け、
前記居室親機には、当該居室親機の親機電源及び前記玄関子機の子機電源をそれぞれ生成するための親機電源回路（２０９）と、前記親機電源回路にて生成される前記子機電源の電圧値を変化させて前記玄関子機のカメラにて撮像される映像の逆光成分を補正するための逆光補正信号を生成する逆光補正信号生成回路（２１０）と、操作部（２１３）の操作により前記逆光補正信号生成回路にて前記逆光補正信号を生成させ、前記逆光補正信号の生成後における所定の逆光補正動作時間の計時を行うためのタイマ回路（２１４ａ）と、前記タイマ回路にて計時される所定の逆光補正動作時間内において前記玄関子機からの呼び出しを検出したとき、前記逆光補正信号生成回路での逆光補正信号の生成を継続させて前記逆光成分の補正動作を保持するためのＣＰＵ（２１４）とを備え、
前記玄関子機には、前記カメラにて撮像された映像を信号処理して映像信号を生成するための映像信号生成回路（１０２）と、前記逆光補正信号を受信して前記映像信号の逆光成分を補正するように前記映像信号生成回路を制御するための逆光補正信号検出回路（１０３）と、前記子機電源を充電し、前記逆光補正信号が受信されたときに前記充電された子機電源を放電するための充放電回路（１１２）と、前記充放電回路を経由して充放電された子機電源を受電するための子機電源回路（１１３）とを備えたことを特徴とするテレビドアホン装置。
【請求項２】
前記居室親機のＣＰＵは、前記逆光補正動作時間内に当該居室親機及び前記玄関子機の間で成立されている通話の終了を検出したとき、前記逆光補正信号生成回路での逆光補正信号の生成を継続させて前記逆光成分の補正動作を保持することを特徴とする請求項１記載のテレビドアホン装置。
【請求項３】
前記逆光補正信号は、カウント可能なパルス信号であって、前記逆光補正信号検出回路は、前記パルス信号をカウント可能なカウンタＩＣで構成したことを特徴とする請求項１又は請求項２記載のテレビドアホン装置。
【請求項４】
カメラ（１０１）を有する玄関子機（５１）と、伝送路（Ｌ51）を経由して前記玄関子機に接続され当該玄関子機からの呼び出しに応答して通話を成立させ、前記玄関子機のカメラにて撮像された映像を出画するためのモニタ（２０５）を有する居室親機（５２）とを設け、
前記居室親機には、操作部（２１３）の操作により前記玄関子機のカメラにて撮像される映像の逆光成分を補正するための逆光補正信号を生成する逆光補正信号生成回路（５２２ａ）と、前記逆光補正信号の生成後における所定の逆光補正動作時間の計時を行うためのタイマ回路（５２２ｂ）と、前記タイマ回路にて計時される所定の逆光補正動作時間内において前記玄関子機からの呼び出しを検出したとき、前記逆光補正信号の生成を継続させて前記逆光成分の補正動作を保持するための親機ＣＰＵ（５２２）とを備え、
前記玄関子機には、前記カメラにて撮像された映像を信号処理して映像信号を生成するための映像信号生成回路（１０２）と、前記逆光補正信号を検出するための逆光補正信号検出回路（５１３ａ）と、前記逆光補正信号検出回路にて検出された逆光補正信号により前記映像信号の逆光成分を補正するように前記映像信号生成回路を制御するための子機ＣＰＵ（５１３）とを備えたことを特徴とするテレビドアホン装置。
【請求項５】
前記居室親機の親機ＣＰＵは、前記逆光補正動作時間内に当該居室親機及び前記玄関子機の間で成立されている通話の終了を検出したとき、前記逆光補正信号生成回路での逆光補正信号の生成を継続させて前記逆光成分の補正動作を保持することを特徴とする請求項４記載のテレビドアホン装置。
【発明の詳細な説明】
【技術分野】
【０００１】
本発明は、玄関子機のカメラにて撮像された映像を居室親機のモニタに出画するテレビドアホン装置に係り、特に、カメラにて撮像される映像の逆光成分を補正することができるテレビドアホン装置に関する。
【背景技術】
【０００２】
従来から、この種のテレビドアホン装置として、標準カメラ付ドアホン子器にて撮像された映像をモニターテレビ付インターホンのＣＲＴ表示画面に映し出すにあたり、当該映像に入っている逆光（逆光成分）を補正することができるテレビインターホンシステムにおける映像信号伝送方法及びこれを使用したテレビインターホンシステムが開示されている（例えば、特許文献１を参照。）。
【特許文献１】特開平５−２３６４７９号公報（例えば、段落［００２２］、第１図、第２図等）
【発明の開示】
【発明が解決しようとする課題】
【０００３】
背景技術に記載した特許文献１において開示されている逆光（逆光成分）の補正技術を適用するにあたり、例えば、標準カメラ付ドアホン子器からモニターテレビ付インターホンへの呼出中、或いは、標準カメラ付ドアホン子器及びモニターテレビ付インターホンの間の通話中に逆光（逆光成分）の補正が行われ、その後に通話が終了したとすると、当該子機の周辺近傍の状況に余り変化がみられないのにも関わらず当該補正動作が停止する虞があり、前述の通話の終了後における再度の呼出時において逆光（逆光成分）の補正動作を行うためには、所定の操作が必要とされ煩雑さを有していた。
【０００４】
本発明は、この難点を解消するためになされたもので、玄関子機のカメラにて撮像される映像の逆光成分を補正するにあたり、補正動作のための操作を不要にして、予め動作している逆光成分の補正動作を保持、或いは、逆光成分の補正動作を始めることにより、利用者の利便性を高めたテレビドアホン装置を提供することを目的としている。
【課題を解決するための手段】
【０００５】
前述の目的を達成するため、本発明の第１の態様であるテレビドアホン装置は、カメラを有する玄関子機と、伝送路を経由して玄関子機に接続され当該玄関子機からの呼び出しに応答して通話を成立させ、玄関子機のカメラにて撮像された映像を出画するためのモニタを有する居室親機とを設けたものである。居室親機には、当該居室親機の親機電源及び玄関子機の子機電源をそれぞれ生成するための親機電源回路と、親機電源回路にて生成される子機電源の電圧値を変化させて玄関子機のカメラにて撮像される映像の逆光成分を補正するための逆光補正信号を生成する逆光補正信号生成回路と、操作部の操作により逆光補正信号生成回路にて逆光補正信号を生成させ、逆光補正信号の生成後における所定の逆光補正動作時間の計時を行うためのタイマ回路と、タイマ回路にて計時される所定の逆光補正動作時間内において玄関子機からの呼び出しを検出したとき、逆光補正信号生成回路での逆光補正信号の生成を継続させて逆光成分の補正動作を保持するためのＣＰＵとを備えている。玄関子機には、カメラにて撮像された映像を信号処理して映像信号を生成するための映像信号生成回路と、逆光補正信号を受信して映像信号の逆光成分を補正するように映像信号生成回路を制御するための逆光補正信号検出回路と、子機電源を充電し、逆光補正信号が受信されたときに充電された子機電源を放電するための充放電回路と、充放電回路を経由して充放電された子機電源を受電するための子機電源回路とを備えている。
【０００６】
また、本発明の第２の態様であるテレビドアホン装置は、本発明の第１の態様において、居室親機のＣＰＵは、逆光補正動作時間内に当該居室親機及び玄関子機の間で成立されている通話の終了を検出したとき、逆光補正信号生成回路での逆光補正信号の生成を継続させて逆光成分の補正動作を保持するものである。
【０００７】
また、本発明の第３の態様であるテレビドアホン装置は、本発明の第１の態様又は第２の態様において、逆光補正信号は、カウント可能なパルス信号であって、逆光補正信号検出回路は、パルス信号をカウント可能なカウンタＩＣで構成したものである。
【０００８】
また、本発明の第４の態様であるテレビドアホン装置は、カメラを有する玄関子機と、伝送路を経由して玄関子機に接続され当該玄関子機からの呼び出しに応答して通話を成立させ、玄関子機のカメラにて撮像された映像を出画するためのモニタを有する居室親機とを設けたものである。居室親機には、操作部の操作により玄関子機のカメラにて撮像される映像の逆光成分を補正するための逆光補正信号を生成する逆光補正信号生成回路と、逆光補正信号の生成後における所定の逆光補正動作時間の計時を行うためのタイマ回路と、タイマ回路にて計時される所定の逆光補正動作時間内において玄関子機からの呼び出しを検出したとき、逆光補正信号の生成を継続させて逆光成分の補正動作を保持するための親機ＣＰＵとを備えている。玄関子機には、カメラにて撮像された映像を信号処理して映像信号を生成するための映像信号生成回路と、逆光補正信号を検出するための逆光補正信号検出回路と、逆光補正信号検出回路にて検出された逆光補正信号により映像信号の逆光成分を補正するように映像信号生成回路を制御するための子機ＣＰＵとを備えている。
【０００９】
また、本発明の第５の態様であるテレビドアホン装置は、本発明の第４の態様において、居室親機の親機ＣＰＵは、逆光補正動作時間内に当該居室親機及び玄関子機の間で成立されている通話の終了を検出したとき、逆光補正信号生成回路での逆光補正信号の生成を継続させて逆光成分の補正動作を保持するものである。
【発明の効果】
【００１０】
本発明のテレビドアホン装置によれば、玄関子機から居室親機への呼出中、或いは、玄関子機及び居室親機の間の通話中において、居室親機の逆光補正信号生成回路にて生成される逆光補正信号により玄関子機のカメラにて撮像される映像の逆光成分の補正が行われており、その後に通話が終了した場合、これを検出したＣＰＵ（親機ＣＰＵ）は、タイマ回路にて計時される所定の逆光補正動作時間内、操作部の使用による補正動作のための操作を不要にして、逆光補正信号生成回路における逆光補正信号の生成を継続させて当該補正動作を保持する、或いは、逆光補正信号生成回路における逆光補正信号の生成を開始させて当該補正動作を始めることができ、利用者の利便性が高められる。
【００１１】
また、本発明のテレビドアホン装置によれば、居室親機から玄関子機に供給される子機電源の電圧値を変化させた逆光補正信号を構成するパルス信号のカウント値をもとに、玄関子機のカメラにて撮像される映像の逆光成分を補正することができ、居室親機から玄関子機に送出される逆光補正信号の変調処理が不要となり、その変調処理に必要とされる回路も不要となるため、当該居室親機の回路構成を簡素化できる。また、玄関子機においても、居室親機から供給されてくる直流電圧には、逆光補正信号を変調処理した変調信号が重畳されることはなく、この変調信号の復調処理が不要となるため、当該玄関子機の回路構成を簡素化でき、ゆえに、装置全体のコストが低減されることになる。
【発明を実施するための最良の形態】
【００１２】
以下、本発明のテレビドアホン装置を適用した最良の実施の形態例について、図面を参照して説明する。
【００１３】
図１は、本発明の第１の実施例によるテレビドアホン装置の具体的な構成を示す回路ブロック図である。このテレビドアホン装置は、住戸外、例えば、玄関に設置される玄関子機１と、呼出・通話ラインＬ10、２線の電源・映像ラインＬ11、Ｌ12により構成された伝送路Ｌ1を経由して玄関子機１に接続され、住戸内に設置される居室親機２とが設けられている。
【００１４】
玄関子機１には、呼出ボタン１００、カメラ１０１、映像信号生成回路１０２、逆光補正信号検出回路１０３、映像変調回路１０４、子機マイク１０５、子機スピーカ１０６、子機通話回路１０７、２つの子機インピーダンス制御回路（以下、第１、第２の各子機インピーダンス制御回路という。）１０８、１０９、２つの整流ダイオード（以下、第１、第２の各整流ダイオードという。）１１０、１１１、充放電回路１１２及び子機電源回路１１３が備えられている。
【００１５】
この玄関子機１において、呼出ボタン１００は、玄関に居る人物、例えば、来訪者が、住戸内に在室中の居住者を呼び出すために操作するものであり、呼出・通話ラインＬ10に接続されている。
【００１６】
カメラ１０１は、呼出操作を行った来訪者の映像や玄関の周囲近傍の映像等を撮像するためのものであり、例えば、ＣＣＤ、ＣＭＯＳ等の各種の撮像媒体が好適とされる。また、映像信号生成回路１０２は、カメラ１０１にて撮像された映像について信号処理を行い、電気信号の映像信号を生成するためのものである。また、逆光補正信号検出回路１０３は、映像信号生成回路１０２にて生成される映像信号の逆光成分を補正するように当該映像信号生成回路を制御するためのものであり、カウンタＩＣで構成されている。さらに、映像変調回路１０４は、映像信号生成回路１０２にて生成された映像信号をＦＭ変調するためのものであり、２線の電源・映像ラインＬ11、Ｌ12にそれぞれ接続されている。
【００１７】
子機マイク１０５及び子機スピーカ１０６は、来訪者が居住者との間で通話を成立させるための音声（送話音声、受話音声）を入出力するものである。また、子機通話回路１０７は、子機マイク１０５及び子機スピーカ１０６にて入出力される音声である電気信号の音声信号について４線／２線変換、２線／４線変換、増幅等の信号処理を行うためのものであり、呼出・通話ラインＬ10に接続されている。なお、子機スピーカ１０６は、前述の通話機能の他に、後述する呼出確認音や音声メッセージ等を出力することもでき、呼出・通話ラインＬ10に接続されている。
【００１８】
第１の子機インピーダンス制御回路１０８は、２線の電源・映像ラインＬ11、Ｌ12をそれぞれ経由して居室親機２から供給されてくる子機電源（後述する逆光補正信号を含む。）のインピーダンスが低下するように、そのインピーダンス値を制御するとともに、電源・映像ラインＬ11への交流電圧・信号の送出を遮断するためのものである。また、第２の子機インピーダンス制御回路１０９は、電源・映像ラインＬ12への交流電圧・信号の送出を遮断するためのものであり、アース接地されている。
【００１９】
第１の整流ダイオード１１０は、第１の子機インピーダンス制御回路１０８から逆光補正信号検出回路１０３への電源供給路を形成するためのものである。また、第２の整流ダイオード１１１は、第１の子機インピーダンス制御回路１０８から充放電回路１１２への電源供給路を形成するためのものである。
【００２０】
充放電回路１１２は、第２の整流ダイオード１１１を経由して供給されてくる居室親機２からの子機電源を充電し、充電された子機電源を、居室親機２の後述する逆光補正信号生成回路２１０からの逆光補正信号を受信したときに放電し、子機電源回路１１３に供給するためのものである。また、子機電源回路１１３は、充放電回路１１２を経由して充放電された子機電源を受電し、当該玄関子機の構成各部／回路にそれぞれ供給するためのものである。
【００２１】
また、居室親機２には、呼出検出回路２００、親機マイク２０１、親機スピーカ２０２、親機通話回路２０３、呼出・通話切替回路２０４、モニタ２０５、映像復調回路２０６、画面生成回路２０７、出画内容切替回路２０８、親機電源回路２０９、逆光補正信号生成回路２１０、２つの親機インピーダンス制御回路（以下、第１、第２の各親機インピーダンス制御回路という。）２１１、２１２、操作部２１３及びＣＰＵ２１４が備えられている。
【００２２】
この居室親機２において、呼出検出回路２００は、来訪者による玄関子機１の呼出ボタン１００の操作の有無を検出するためのものであり、呼出・通話切替回路２０４を経由して呼出・通話ラインＬ10と、ＣＰＵ２１４とにそれぞれ接続されている。
【００２３】
親機マイク２０１及び親機スピーカ２０２は、居住者が来訪者との間で通話を成立させるための音声（送話音声、受話音声）を入出力するものである。また、親機通話回路２０３は、ＣＰＵ２１４により制御され、親機マイク２０１及び親機スピーカ２０２にて入出力される音声である電気信号の音声信号について４線／２線変換、２線／４線変換、増幅等の信号処理を行うためのものであり、呼出・通話切替回路２０４を経由して呼出・通話ラインＬ10と、ＣＰＵ２１４とにそれぞれ接続されている。なお、親機スピーカ２０２は、前述の通話機能の他に、後述する呼出音や音声メッセージ等を出力することもできる。
【００２４】
呼出・通話切替回路２０４は、ＣＰＵ２１４の制御により切り替えられ、呼出・通話ラインＬ10から呼出検出回路２００への信号伝送路、及び呼出・通話ラインＬ10と親機通話回路２０３との間の信号伝送路（通話路）のうち何れか一方の信号伝送路を形成するためのものである。
【００２５】
モニタ２０５は、ＣＰＵ２１４の制御により出画状態に制御され、玄関子機１のカメラ１０１にて撮像された映像、或いは、画面生成回路２０７にて生成された所定の色の画面及び／又は逆光補正中であることの表示画面を出画するためのものであり、例えば、ＬＣＤ、ＰＤＰ、有機ＥＬディスプレイ等の各種の出画表示媒体が好適とされる。また、映像復調回路２０６は、ＣＰＵ２１４により制御され、２線の電源・映像ラインＬ11、Ｌ12をそれぞれ経由して玄関子機１から伝送されてくる映像信号をＦＭ復調するためのものである。さらに、画面生成回路２０７は、ＣＰＵ２１４により制御され、モニタ２０５に出画させる所定の色の画面及び／又は逆光補正中であることの表示画面を生成するためのものである。なお、モニタ２０５は、前述の出画機能能の他に、後述する呼出メッセージ、絵データ等を表示することもできる。
【００２６】
出画内容切替回路２０８は、ＣＰＵ２１４の制御により切り替えられ、映像復調回路２０６からモニタ２０５への信号伝送路、及び画面生成回路２０７からモニタ２０５への信号伝送路のうち何れか一方の信号伝送路を形成するためのものである。
【００２７】
親機電源回路２０９は、ＣＰＵ２１４により制御され、商用電源について整流・平滑させた居室親機２の親機電源を生成し、当該居室親機の構成各部／回路にそれぞれ供給するとともに、玄関子機１の子機電源を生成するためのものである。また、逆光補正信号生成回路２１０は、ＣＰＵ２１４により制御され、親機電源回路２０９にて生成される子機電源の電圧値を変化させて玄関子機１のカメラ１０１にて撮像される映像の逆光成分を補正するための逆光補正信号を生成するものである。なお、逆光補正信号生成回路２１０にて生成される逆光補正信号は、玄関子機１の逆光補正信号検出回路１０３にてカウント可能なパルス信号である。
【００２８】
第１の親機インピーダンス制御回路２１１は、親機電源回路２０９から逆光補正信号生成回路２１０を経由して供給する子機電源（逆光補正信号）のインピーダンスが低下するように、そのインピーダンス値を制御するとともに、電源・映像ラインＬ11への交流電圧・信号の送出を遮断するためのものである。また、第２の親機インピーダンス制御回路２１２は、電源・映像ラインＬ12への交流電圧・信号の送出を遮断するためのものであり、アース接地されている。
【００２９】
操作部２１３は、来訪者からの呼び出しがあることを確認した居住者が当該来訪者との間で通話を成立させるための操作（応答操作）、逆光補正信号生成回路２１０にて逆光補正信号を生成させるための操作等が行われるものであり、これらの操作は、ＣＰＵ２１４にて検出される。
【００３０】
ＣＰＵ２１４は、当該居室親機の構成各部／回路をそれぞれ制御するためのものであり、具体的には、操作部２１３の操作により逆光補正信号生成回路２１０にて逆光補正信号を生成させた後における所定の逆光補正動作時間の計時を行うためのタイマ回路２１４ａが備えられている。このＣＰＵ２１４は、タイマ回路２１４ａにて計時される所定の逆光補正動作時間内において玄関子機１からの呼び出しを検出したとき、逆光補正信号生成回路２１０での逆光補正信号の生成を継続させて逆光成分の補正動作を保持する制御を行うことができる。
【００３１】
このように構成された本発明の第１の実施例によるテレビドアホン装置において、以下、具体的な動作について、図３（ａ）、（ｂ）の各フローチャート図を参照して説明する。
【００３２】
図１に示すテレビドアホン装置が待受状態、すなわち、来訪者により玄関子機１の呼出ボタン１００が操作されておらず通話も成立していない状態において、居室親機２の呼出・通話切替回路２０４は、ＣＰＵ２１４の制御により、呼出・通話ラインＬ10が呼出検出回路２００に接続されるように切り替えられている。また、同様な待受状態において、出画内容切替回路２０８は、ＣＰＵ２１４の制御により、映像復調回路２０６がモニタ２０５に接続されるように切り替えられている。
【００３３】
前述のような待受状態のとき、来訪者が居住者を呼び出すために玄関子機１の呼出ボタン１００を操作（以下、第１の呼出操作という。）すると、この呼出ボタン１００から呼出・通話ラインＬ10、居室親機２の呼出・通話切替回路２０４を経由して呼出検出回路２００に呼出信号が伝送される。
【００３４】
居室親機２の呼出検出回路２００は、玄関子機１からの呼出信号を受信すると、来訪者による呼び出し（第１の呼び出し）があったことを検出し、その旨の呼出検出信号を生成してＣＰＵ２１４に送出する。この呼出検出信号を受信したＣＰＵ２１４は、待受状態から呼出状態に移行され、親機電源回路２０９を制御して当該居室親機の構成各部／回路が動作可能な所定の電圧レベル（詳述せず。）の親機電源を生成させるとともに、来訪者からの呼び出しがある旨の呼出音や音声メッセージ等を生成して親機スピーカ２０２から出力させ、さらには、モニタ２０５及び映像復調回路２０６がそれぞれ能動となるように制御し、当該モニタを出画可能な状態にすることができる。なお、ＣＰＵ２１４は、出画可能な状態に制御したモニタ２０５に、来訪者からの呼び出しがある旨の呼出メッセージや絵データ等を表示させることもできる。
【００３５】
また、居室親機２において、待受状態から呼出状態に移行されたＣＰＵ２１４は、親機電源回路２０９を制御して、玄関子機１の構成各部／回路が動作可能な所定の電圧レベルの子機電源、例えば、ＤＣ１２Ｖの子機電源を生成させる。この子機電源は、非能動状態に制御されている逆光補正信号生成回路２１０を経由して第１の親機インピーダンス制御回路２１１に供給され、インピーダンス値が低下するように制御された後、電源・映像ラインＬ11を経由して玄関子機１の第１の子機インピーダンス制御回路１０８に供給される。
【００３６】
玄関子機１の第１の子機インピーダンス制御回路１０８は、電源・映像ラインＬ11に重畳されて居室親機２から供給されてきた子機電源のインピーダンス値が低下するように制御した後、第１の整流ダイオード１１０を経由して逆光補正信号検出回路１０３と、第２の整流ダイオード１１１を経由して充放電回路１１２とにそれぞれ送出する。ここで、充放電回路１１２は、第２の整流ダイオード１１１を経由して供給されてくる子機電源を充放電し、子機電源回路１１３に供給することにより、この子機電源回路１１３は、受電した子機電源を動作電源として、当該玄関子機の構成各部／回路にそれぞれ供給することができる。また、逆光補正信号検出回路１０３は、第１の整流ダイオード１１０を経由して供給されてくる子機電源の電圧レベルがＤＣ１２Ｖであり、後述する逆光補正信号を構成するカウント可能なパルス信号でないため、何ら動作を行うことはない。
【００３７】
なお、前述までの説明においては、待受状態から呼出状態に移行された居室親機２のＣＰＵ２１４による制御として、親機スピーカ２０２及びモニタ２０５の使用による呼出報知制御と、親機電源回路２０９への電源供給制御とについて説明したが、この態様に限定されるものではない。例えば、ＣＰＵ２１４にて生成させた呼出確認音信号を、切り替えた呼出・通話切替回路２０４、呼出・通話ラインＬ10を経由して玄関子機１の子機スピーカ１０６に送出することにより、呼出確認音や音声メッセージ等が子機スピーカ１０６から出力され、来訪者による呼出操作が正常に呼出報知されたことを当該来訪者に確認させることもできる。
【００３８】
次に、玄関子機１の子機電源回路１１３からの子機電源が動作電源となり能動にされたカメラ１０１は、呼出操作を行った来訪者の映像や玄関の周囲近傍の映像等の撮像を開始する。この映像は、映像信号生成回路１０２を経由して電気信号の映像信号に信号処理される。また、映像変調回路１０４は、映像信号生成回路１０２にて生成された映像信号をＦＭ変調した後、２線の電源・映像ラインＬ11、Ｌ12を経由して居室親機２の映像復調回路２０６に送出する。
【００３９】
居室親機２の映像復調回路２０６は、２線の電源・映像ラインＬ11、Ｌ12に重畳されて玄関子機１から伝送されてきた映像信号を復調し、出画内容切替回路２０８を経由してモニタ２０５に送出することにより、玄関子機１のカメラ１０１にて撮像された映像、すなわち、呼出操作を行った来訪者の映像や玄関の周囲近傍の映像等を、モニタ２０５に出画させることができる。
【００４０】
次に、玄関子機１のカメラ１０１（の撮像面）に入射される逆光の影響で、居室親機２のモニタ２０５に出画されている映像が例えば、白くなり視認性が低くなると、これを確認した居住者は、操作部２１３を使用して逆光（逆光成分）を補正するための操作を行うことができる。この操作を検出したＣＰＵ２１４は、タイマ回路２１４ａにて所定の逆光補正動作時間の計時を開始させ（ステップＳＴ1）、映像復調回路２０６が非能動、逆光補正信号生成回路２１０が能動となるようにそれぞれ制御するとともに、出画内容切替回路２０８を制御して、映像復調回路２０６からモニタ２０５への信号伝送路を画面生成回路２０７からモニタ２０５への信号伝送路に切り替え、さらには、画面生成回路２０７にて所定の色の画面、例えば、黒色の画面、及び／又は逆光補正処理中であることの表示画面を生成させることができる。
【００４１】
前述までの制御により、居室親機２の逆光補正信号生成回路２１０は、親機電源回路２０９にて生成されたＤＣ１２Ｖの子機電源の電圧値を変化、例えば、２秒間０Ｖに変化させ、玄関子機１のカメラ１０１にて撮像される映像の逆光成分を補正するための信号として、カウント可能なパルス信号により構成される逆光補正信号を生成することができる。この逆光補正信号は、前述の子機電源と同様な信号伝送路を経由して、玄関子機１の逆光補正信号検出回路１０３及び充放電回路１１２にそれぞれ伝送される。
【００４２】
ここで、玄関子機１の充放電回路１１２は、居室親機２からの逆光補正信号を受信すると、逆光補正信号生成回路２１０にて逆光補正信号が生成される前から当該充放電回路に予め充電されていたＤＣ１２Ｖの子機電源を放電し、子機電源回路１１３に供給することにより、カメラ１０１をはじめとした玄関子機１の構成各部／回路、例えば、映像撮像処理機能（１０１、１０２、１０４）への動作電源を確保することができる。
【００４３】
また、玄関子機１の逆光補正信号検出回路１０３は、居室親機２からの逆光補正信号を受信すると、当該逆光補正信号を構成するパルス信号のカウント値をカウントして、映像信号生成回路１０２にて生成される映像信号の逆光成分を補正するように、当該映像信号生成回路を制御することができる。なお、逆光成分が補正された映像信号は、映像信号生成回路１０２から映像変調回路１０４、２線の電源・映像ラインＬ11、Ｌ12を経由して居室親機２の映像復調回路２０６に伝送されるものの、出画内容切替回路２０８を経由したモニタ２０５への接続が当該映像復調回路ではなく画面生成回路２０７に接続されていることから、玄関子機１のカメラ１０１にて撮像され逆光成分の補正が行われた映像は、モニタ２０５に出画されず、画面生成回路２０７にて生成された所定の色の画面、例えば、黒色の画面、及び／又は逆光補正処理中であることの表示画面が出画されることにより、居住者に不快感を与えずに逆光成分の補正動作が可能となる。
【００４４】
なお、居室親機２において、前述の逆光補正処理が終了すると、これを検出したＣＰＵ２１４は、映像復調回路２０６が能動、画面生成回路２０７及び逆光補正信号生成回路２１１が非能動となるようにそれぞれ制御するとともに、出画内容切替回路２０８を制御して、画面生成回路２０７からモニタ２０５への信号伝送路を映像復調回路２０６からモニタ２０５への信号伝送路に切り替えることにより、モニタ２０５には、玄関子機１のカメラ１０１にて撮像され逆光成分の補正が行われた映像が出画されることから、逆光の影響がなく視認性の高い映像を確保することができる。
【００４５】
次に、逆光補正動作時間内において、来訪者からの呼び出しに応答するために、居住者が居室親機２の操作部２１３を使用して応答操作を行うと、この操作を検出したＣＰＵ２１４は通話状態となり、呼出・通話切替回路２０６を制御して、呼出・通話ラインＬ10から呼出検出回路２００への接続を呼出・通話ラインＬ10及び親機通話回路２０３の間の接続に切り替えるとともに、親機通話回路２０３が能動となるように制御することができる。
【００４６】
前述までの制御により、居住者が使用する居室親機２の親機マイク２０１から親機通話回路２０３、呼出・通話切替回路２０４、呼出・通話ラインＬ10、玄関子機１の子機通話回路１０７を経由して来訪者が使用する子機スピーカ１０６までの信号伝送路と、来訪者が使用する玄関子機１の子機マイク１０５から子機通話回路１０７、呼出・通話ラインＬ10、居室親機２の呼出・通話切替回路２０４、親機通話回路２０３を経由して居住者が使用する親機スピーカ２０２までの信号伝送路とがそれぞれ形成され、形成された各信号伝送路を経由して音声信号を送受信させることで通話が成立する。
【００４７】
次に、前述の呼出中、或いは、通話中に逆光成分の補正動作を行い、その逆光補正動作時間内において成立されていた通話を終了させるために、居住者が居室親機２の操作部２１３を使用して終話操作を行うと（ステップＳＴ1、ＳＴ2）、この操作を検出したＣＰＵ２１４は、逆光補正動作時間内における待受状態となり、呼出・通話切替回路２０６を制御して、呼出・通話ラインＬ10及び親機通話回路２０３の間の接続を呼出・通話ラインＬ10から呼出検出回路２００への接続に切り替え、さらには、親機通話回路２０３が非能動となるように制御することができる。
【００４８】
この後、逆光補正動作時間内において、第１の呼出操作と同一又は別途の来訪者が居住者を呼び出すために、玄関子機１の呼出ボタン１００を使用して呼出操作（以下、第２の呼出操作という。）を行うと（ステップＳＴ3、ＳＴ4）、前述の第１の呼出操作時と同様、居室親機２の呼出検出回路２００からの呼出検出信号を受信したＣＰＵ２１４は呼出状態となり、所定の呼出報知を行うことができる（ステップＳＴ5）。
【００４９】
前述までの制御により、玄関子機１のカメラ１０１にて撮像された映像は、映像信号生成回路１０２にて逆光成分が補正された映像信号として、映像信号生成回路１０２から映像変調回路１０４、２線の電源・映像ラインＬ11、Ｌ12を経由して居室親機２の映像復調回路２０６に伝送されるため、逆光成分が補正された映像がモニタ２０５に出画されることになる。したがって、居住者にとっては、来訪者による第２の呼出操作時において、居室親機２の操作部２１３の使用による逆光成分の補正動作を行うための操作が不要となり、玄関子機１のカメラ１０１にて撮像され逆光成分の補正が行われた映像をモニタ２０５に出画させることができ、ゆえに、第２の呼出操作の時点より、逆光の影響がなく視認性の高い映像を確保することができる（ステップＳＴ5）。
【００５０】
また、逆光補正動作時間内において、第２の呼出操作が行われずに、前述の逆光補正動作時間がタイマ回路２１４ａにてタイムアップとなると（ステップＳＴ3）、これを検出した居室親機２のＣＰＵ２１４は、玄関子機１への電源供給を遮断するため、当該テレビドアホン装置は待受状態となる（ステップＳＴ6、ＳＴ7）。
【００５１】
なお、前述までの説明によれば、前述の呼出中、或いは、通話中に逆光成分の補正動作を行い、その逆光補正動作時間内に成立されていた通話を終了させるにあたり、当該逆光補正動作時間内においては、居室親機２のＣＰＵ２１４の制御により逆光補正信号生成回路２１０の能動状態を継続させることで玄関子機１への電源供給を保持した態様について説明したが、この態様に限定されるものではない。例えば、前述の終話操作を検出したタイミングのＣＰＵ２１４による制御として（ステップＳＴ51、ＳＴ52）、逆光補正信号生成回路２１０が非能動となるように制御することにより、玄関子機１への電源供給の遮断、すなわち、逆光補正信号の送出が停止されるため、当該テレビドアホン装置は待受状態となる（ステップＳＴ56）。
【００５２】
この後、逆光補正動作時間内において、第１の呼出操作と同一又は別途の来訪者が居住者を呼び出すために、玄関子機１の呼出ボタン１００を使用して第２の呼出操作を行うと（ステップＳＴ53、ＳＴ54）、前述の第１の呼出操作時と同様、居室親機２の呼出検出回路２００からの呼出検出信号を受信したＣＰＵ２１４は呼出状態となり、所定の呼出報知を行うことができる（ステップＳＴ55）。
【００５３】
また、居室親機２において、逆光補正動作時間内における呼出状態のＣＰＵ２１４は、逆光補正信号生成回路２１０が能動となるように制御するとともに、映像復調回路２０６が能動となるように制御し、さらには、出画内容切替回路２０８を制御して、映像復調回路２０６からモニタ２０５への信号伝送路を形成させることができる。
【００５４】
前述までの制御により、玄関子機１のカメラ１０１にて撮像された映像は、映像信号生成回路１０２にて逆光成分が補正された映像信号として、映像信号生成回路１０２から映像変調回路１０４、２線の電源・映像ラインＬ11、Ｌ12を経由して居室親機２の映像復調回路２０６に伝送されるため、逆光成分が補正された映像がモニタ２０５に出画されることになる。したがって、居住者にとっては、来訪者による第２の呼出操作時において、居室親機２の操作部２１３の使用による逆光成分の補正動作を行うための操作が不要となり、玄関子機１のカメラ１０１にて撮像され逆光成分の補正が行われた映像をモニタ２０５に出画させることができ、ゆえに、第２の呼出操作の時点より、逆光の影響がなく視認性の映像を確保することができる（ステップＳＴ55）。
【００５５】
なお、本発明の第１の実施例によるテレビドアホン装置においては、居室親機２から玄関子機１に供給される子機電源の電圧値を変化させた逆光補正信号を構成するパルス信号のカウント値をもとに、逆光補正信号検出回路１０３が映像信号生成回路１０２を制御してカメラ１０１にて撮像される映像の逆光成分を補正することができ、居室親機２から玄関子機１に送出される逆光補正信号の変調処理が不要となり、その変調処理に必要とされる回路も不要となるため、当該居室親機の回路構成を簡素化できる。また、玄関子機１の子機電源回路１１３においても、居室親機２から供給されてくる直流電圧には、逆光補正信号を変調処理した変調信号が重畳されることはなく、この変調信号の復調処理が不要となるため、当該玄関子機の回路構成を簡素化でき、ゆえに、装置全体のコストが低減されることになる。
【００５６】
また、本発明の第１の実施例によるテレビドアホン装置においては、居室親機２が有する機能として、計時機能を構成するタイマ回路２１４ａをＣＰＵ２１４に内蔵させた態様について説明したが、この態様に限定されるものではない。例えば、タイマ回路２１４ａをＣＰＵ２１４から独立させて居室親機２に備え、ＣＰＵ２１４により制御させることもできる。
【００５７】
次に、本発明の第２の実施例によるテレビドアホン装置について、図２のブロック図を参照して説明する。このテレビドアホン装置は、住戸外、例えば、玄関に設置される玄関子機５１と、伝送路Ｌ51を経由して玄関子機５１に接続され、住戸内に設置される居室親機５２とが設けられている。なお、玄関子機５１及び居室親機５２の構成をそれぞれ説明するにあたり、前述の第１の実施例において適用された玄関子機１及び居室親機２の構成各部／回路と同一の作用を有する該当部／回路については、同一の符号を付与して説明は省略するものとする。
【００５８】
玄関子機５１には、呼出ボタン１００、カメラ１０１、映像信号生成回路１０２、映像変調回路１０４、子機マイク１０５、子機スピーカ１０６、子機通話回路１０７、子機インピーダンス制御回路５１０、子機電源回路５１１、子機伝送回路（以下、子機Ｉ／Ｆという。）５１２及び子機ＣＰＵ５１３が備えられている。
【００５９】
この玄関子機５１において、子機インピーダンス制御回路５１０は、子機ＣＰＵ５１３により制御され、伝送路Ｌ51を経由して居室親機５２から供給されてくる子機電源のインピーダンスが低下するように、そのインピーダンス値を制御するとともに、伝送路Ｌ51への交流電圧・信号の送出を遮断するためのものである。
【００６０】
子機電源回路５１１は、子機ＣＰＵ５１３により制御され、子機インピーダンス制御回路５１０を経由してインピーダンスが低下された子機電源を受電し、この子機電源を当該玄関子機の構成各部／回路にそれぞれ供給するためのものである。
【００６１】
子機Ｉ／Ｆ５１２は、映像変調回路１０４から伝送路Ｌ51への信号伝送ライン（信号伝送路）、伝送路Ｌ51から子機スピーカ１０６への信号伝送ライン（信号伝送路）、子機通話回路１０７及び伝送路Ｌ51の間の信号伝送ライン（信号伝送路）、伝送路Ｌ51から子機インピーダンス制御回路５１０への電源供給ライン（電源供給路）、子機ＣＰＵ５１３及び伝送路Ｌ51の間の信号伝送ライン（信号伝送路）をそれぞれ形成するためのものである。
【００６２】
子機ＣＰＵ５１３は、当該玄関子機の構成各部／回路をそれぞれ制御するためのものであり、具体的には、居室親機５２から伝送されてくる後述する逆光補正信号を検出するための逆光補正信号検出回路５１３ａが備えられている。この子機ＣＰＵ５１３は、逆光補正信号検出回路５１３ａにて検出された逆光補正信号により映像信号の逆光成分を補正するように映像信号生成回路１０２を制御することができる。
【００６３】
また、居室親機５２には、呼出検出回路２００、親機マイク２０１、親機スピーカ２０２、親機通話回路２０３、モニタ２０５、映像復調回路２０６、画面生成回路２０７、親機電源回路２０９、操作部２１３、親機インピーダンス制御回路５２０、親機伝送回路（以下、親機Ｉ／Ｆという。）５２１及び親機ＣＰＵ５２２が備えられている。
【００６４】
この居室親機５２において、親機インピーダンス制御回路５２０は、親機ＣＰＵ５２２により制御され、玄関子機５１の子機電源回路５１１に供給するために親機電源回路２０９にて生成された子機電源のインピーダンスが低下するように、そのインピーダンス値を制御するとともに、伝送路Ｌ51への交流電圧・信号の送出を遮断するためのものである。
【００６５】
親機Ｉ／Ｆ５２１は、伝送路Ｌ51から呼出検出回路２００への信号伝送ライン（信号伝送路）、親機通話回路２０３及び伝送路Ｌ51の間の信号伝送ライン（信号伝送路）、伝送路Ｌ51から映像復調回路２０６への信号伝送ライン（信号伝送路）、親機インピーダンス制御回路５２０から伝送路Ｌ51への電源供給ライン（電源供給路）、親機ＣＰＵ５２２及び伝送路Ｌ51の間の信号伝送ライン（信号伝送路）をそれぞれ形成するためのものである。
【００６６】
親機ＣＰＵ５２２は、当該居室親機の構成各部／回路をそれぞれ制御するためのものであり、具体的には、玄関子機５１のカメラ１０１にて撮像される映像の逆光成分を補正するための逆光補正信号を生成する逆光補正信号生成回路５２２ａと、操作部２１３の操作を検出して逆光補正信号生成回路５２２ａにて逆光補正信号を生成させた後における所定の逆光補正動作時間の計時を行うためのタイマ回路５２２ｂとが備えられている。
【００６７】
このように構成された本発明の第２の実施例によるテレビドアホン装置において、以下、具体的な動作について、前述の第１の実施例と同様、図３（ａ）、（ｂ）の各フローチャート図を参照して説明する。
【００６８】
図２に示すテレビドアホン装置が待受状態、すなわち、来訪者により玄関子機５１の呼出ボタン１００が操作されておらず通話も成立していない状態において、来訪者が居住者を呼び出すために呼出ボタン１００を操作すると、この操作を検出した子機ＣＰＵ５１３は、待受状態から呼出状態に移行され、子機インピーダンス制御回路５１０が能動となるように制御するとともに、呼出信号を生成し、子機Ｉ／Ｆ５１２、伝送路Ｌ51、居室親機５２の親機Ｉ／Ｆ５２１を経由して呼出検出回路２００に送出することができる。
【００６９】
居室親機５２の呼出検出回路２００は、玄関子機５１からの呼出信号を受信すると、来訪者による呼び出しがあったことを検出し、その旨の呼出検出信号を生成して親機ＣＰＵ５２２に送出する。この呼出検出信号を受信した親機ＣＰＵ５２２は、待受状態から呼出状態に移行され、親機電源回路２０９を制御して当該居室親機の構成各部／回路が動作可能な所定の電圧レベル（詳述せず。）の親機電源を生成させるとともに、来訪者からの呼び出しがある旨の呼出音や音声メッセージ等を生成して親機スピーカ２０２から出力させ、さらには、モニタ２０５及び映像復調回路２０６がそれぞれ能動となるように制御し、当該モニタを出画可能な状態にすることができる。なお、親機ＣＰＵ５２２は、出画可能な状態に制御したモニタ２０５に、来訪者からの呼び出しがある旨の呼出メッセージや絵データ等を表示させることもできる。
【００７０】
また、居室親機５２において、待受状態から呼出状態に移行された親機ＣＰＵ５２２は、親機電源回路２０９を制御して、玄関子機５１の子機電源回路５１１に供給される当該玄関子機の構成各部／回路が動作可能な所定の電圧レベルの子機電源、例えば、ＤＣ１２Ｖの子機電源を生成させるとともに、親機インピーダンス制御回路５２０が能動となるように制御する。この子機電源は、親機インピーダンス制御回路５２０に供給され、インピーダンス値が低下するように制御された後、親機Ｉ／Ｆ５２１、伝送路Ｌ51、玄関子機５１の子機Ｉ／Ｆ５１２を経由して子機インピーダンス制御回路５１０に供給される。
【００７１】
玄関子機５１の子機インピーダンス制御回路５１０は、伝送路Ｌ51に重畳されて居室親機５２から供給されてきた子機電源のインピーダンス値が低下するように制御した後、子機電源回路５１１に供給することにより、この子機電源回路５１１は、受電した子機電源を動作電源として、当該玄関子機の構成各部／回路にそれぞれ供給することができる。
【００７２】
なお、前述までの説明においては、待受状態から呼出状態に移行された居室親機５２の親機ＣＰＵ５２２による制御として、親機スピーカ２０２及びモニタ２０５の使用による呼出報知制御と、親機電源回路２０９（及び親機インピーダンス制御回路５２０）への電源供給制御とについて説明したが、この態様に限定されるものではない。例えば、親機ＣＰＵ５２２にて生成させた呼出確認音信号を、親機Ｉ／Ｆ５２１、伝送路Ｌ51、玄関子機５１の子機Ｉ／Ｆ５１２を経由して子機スピーカ１０６に送出することにより、呼出確認音や音声メッセージ等が子機スピーカ１０６から出力され、来訪者による呼出操作が正常に呼出報知されたことを当該来訪者に確認させることもできる。
【００７３】
次に、玄関子機５１の子機電源回路５１１からの子機電源が動作電源となり能動にされたカメラ１０１は、呼出操作を行った来訪者の映像や玄関の周囲近傍の映像等の撮像を開始する。この映像は、映像信号生成回路１０２を経由して電気信号の映像信号に信号処理される。また、映像変調回路１０４は、映像信号生成回路１０２にて生成された映像信号をＦＭ変調した後、子機Ｉ／Ｆ５１２、伝送路Ｌ51、居室親機５２の親機Ｉ／Ｆ５２１を経由して映像復調回路２０６に送出する。
【００７４】
居室親機５２の映像復調回路２０６は、伝送路Ｌ51に重畳されて玄関子機５１から伝送されてきた映像信号を復調し、モニタ２０５に送出することにより、玄関子機５１のカメラ１０１にて撮像された映像、すなわち、呼出操作を行った来訪者の映像や玄関の周囲近傍の映像等を、モニタ２０５に出画させることができる。
【００７５】
次に、玄関子機５１のカメラ１０１（の撮像面）に入射される逆光の影響で、居室親機５２のモニタ２０５に出画されている映像が例えば、白くなり視認性が低くなると、これを確認した居住者は、操作部２１３を使用して逆光（逆光成分）を補正するための操作を行うことができる。この操作を検出した親機ＣＰＵ５２２は、タイマ回路５２２ｂにて所定の逆光補正動作時間の計時を開始させ（ステップＳＴ1）、当該逆光補正動作時間内において、逆光補正信号生成回路５２２ａが能動となるように制御して逆光補正信号を生成させるとともに、映像復調回路２０６が非能動となるように制御し、さらには、画面生成回路２０７にて所定の色の画面、例えば、黒色の画面、及び／又は逆光補正処理中であることの表示画面を生成させることができる。なお、親機ＣＰＵ５２２の逆光補正信号生成回路５２２ａにて生成された逆光補正信号は、親機Ｉ／Ｆ５２１、伝送路Ｌ51、玄関子機５１の子機Ｉ／Ｆ５１２を経由して子機ＣＰＵ５１３に伝送される。
【００７６】
玄関子機５１の子機ＣＰＵ５１３は、居室親機５２からの逆光補正信号を逆光補正信号検出回路５１３ａにて検出すると、映像信号生成回路１０２にて生成される映像信号の逆光成分を補正するように、当該映像信号生成回路を制御することができる。なお、逆光成分が補正された映像信号は、映像信号生成回路１０２から映像変調回路１０４、子機Ｉ／Ｆ５１２、伝送路Ｌ51、居室親機５２の親機Ｉ／Ｆ５２１を経由して映像復調回路２０６に伝送されるものの、映像復調回路２０６は非能動に制御されているため、玄関子機５１のカメラ１０１にて撮像され逆光成分の補正が行われた映像は、モニタ２０５に出画されず、画面生成回路２０７にて生成された所定の色の画面、例えば、黒色の画面、及び／又は逆光補正処理中であることの表示画面が出画されることにより、居住者に不快感を与えずに逆光成分の補正動作が可能となる。
【００７７】
なお、居室親機５２において、前述の逆光補正処理が終了すると、これを検出した親機ＣＰＵ５２２は、画面生成回路２０７及び逆光補正信号生成回路５２２ａがそれぞれ非能動となるように制御するとともに、映像復調回路２０６が能動となるように制御することにより、モニタ２０５には、玄関子機５１のカメラ１０１にて撮像され逆光成分の補正が行われた映像が出画されることから、逆光の影響がなく視認性の高い映像を確保することができる。
【００７８】
次に、逆光補正動作時間内において、来訪者からの呼び出しに応答するために、居住者が居室親機２の操作部２１３を使用して応答操作を行うと、この操作を検出した親機ＣＰＵ５２２は通話状態となり、親機通話回路２０３が能動となるように制御するとともに、玄関子機５１の子機通話回路１０７を能動にするための通話制御信号を生成することができる。この通話制御信号は、前述の逆光補正信号と同様な経路を介して玄関子機５１の子機ＣＰＵ５１３に伝送される。
【００７９】
玄関子機５１の子機ＣＰＵ５１３は、居室親機５２からの通話制御信号を受信すると通話状態となり、子機通話回路１０７が能動となるように制御することにより、居住者が使用する（居室親機５２の）親機マイク２０１から親機通話回路２０３、親機Ｉ／Ｆ５２１、伝送路Ｌ51、（玄関子機５１の）子機Ｉ／Ｆ５１２、子機通話回路１０７を経由して来訪者が使用する子機スピーカ１０６までの信号伝送ライン（信号伝送路）と、来訪者が使用する（玄関子機５１の）子機マイク１０５から子機通話回路１０７、子機Ｉ／Ｆ５１２、伝送路Ｌ51、（居室親機５２の）親機Ｉ／Ｆ５２１、親機通話回路２０３を経由して居住者が使用する親機スピーカ２０２までの信号伝送ライン（信号伝送路）とがそれぞれ形成され、形成された各信号伝送ライン（信号伝送路）を経由して音声信号を送受信させることで通話が成立する。
【００８０】
次に、前述の呼出中、或いは、通話中に逆光成分の補正動作を行い、その逆光補正動作時間内に成立されていた通話を終了させるために、居住者が居室親機５２の操作部２１３を使用して終話操作を行うと（ステップＳＴ1、ＳＴ2）、この操作を検出した親機ＣＰＵ５２２は、逆光補正動作時間内における待受状態となり、逆光補正信号生成回路５２２ａが能動となる制御を継続させる一方、親機通話回路２０３及び画面生成回路２０７がそれぞれ非能動となるように制御し、さらには、玄関子機５１の子機通話回路１０７を非能動にするための終話制御信号を生成することができる。この終話制御信号は、前述の逆光補正信号及び通話制御信号と同様な経路を介して玄関子機５１の子機ＣＰＵ５１３に伝送される。
【００８１】
玄関子機５１の子機ＣＰＵ５１３は、居室親機５２からの終話制御信号を受信すると、逆光補正動作時間内における待受状態となり、子機通話回路１０７が非能動となるように制御することにより、前述の各信号伝送ライン（信号伝送路）が遮断されることで通話が終了する。また、居室親機５２の画面生成回路２０７及び逆光補正信号生成回路５２２ａがそれぞれ非能動となるように制御されるため、玄関子機５１への電源供給が遮断、すなわち、逆光補正信号の送出が停止することから、当該テレビドアホン装置は待受状態となる（ステップＳＴ6、ＳＴ7）。
【００８２】
この後、逆光補正動作時間内において、第１の呼出操作と同一又は別途の来訪者が居住者を呼び出すために、玄関子機５１の呼出ボタン１００を使用して第２の呼出操作を行うと（ステップＳＴ3、ＳＴ4）、前述の第１の呼出操作時と同様、居室親機５２の呼出検出回路２００からの呼出検出信号を受信した親機ＣＰＵ５２２は呼出状態となり、所定の呼出報知を行うことができる（ステップＳＴ5）。
【００８３】
また、居室親機５２において、逆光補正動作時間内における呼出状態の親機ＣＰＵ５２２は、逆光補正信号生成回路５２２ａが能動となる制御を継続するとともに、映像復調回路２０６が能動となるように制御することができる。前述までの制御により、玄関子機５１のカメラ１０１にて撮像された映像は、映像信号生成回路１０２にて逆光成分が補正された映像信号として、映像信号生成回路１０２から映像変調回路１０４、子機Ｉ／Ｆ５１２、伝送路Ｌ51、居室親機５２の親機Ｉ／Ｆ５２１を経由して映像復調回路２０６に伝送されるため、逆光成分が補正された映像がモニタ２０５に出画されることになる。したがって、居住者にとっては、来訪者による第２の呼出操作時において、居室親機５２の操作部２１３の使用による逆光成分の補正動作を行うための操作が不要となり、玄関子機５１のカメラ１０１にて撮像され逆光成分の補正が行われた映像をモニタ２０５に出画させることができ、ゆえに、第２の呼出操作の時点より、逆光の影響がなく視認性の高い映像を確保することができる（ステップＳＴ5）。
【００８４】
また、逆光補正動作時間内において、第２の呼出操作が行われずに、前述の逆光補正動作時間がタイマ回路５２２ｂにてタイムアップとなると（ステップＳＴ3）、これを検出した居室親機５２の親機ＣＰＵ５２２は、玄関子機５１への電源供給を遮断するため、当該テレビドアホン装置は待受状態となる（ステップＳＴ6、ＳＴ7）。
【００８５】
なお、前述までの説明によれば、前述の呼出中、或いは、通話中に逆光成分の補正動作を行い、その逆光補正動作時間内に成立されていた通話を終了させるにあたり、当該逆光補正動作時間内においては、居室親機５２の親機ＣＰＵ５２２の制御により逆光補正信号生成回路５２２ａの能動状態を継続させることで玄関子機５１への電源供給を保持した態様について説明したが、この態様に限定されるものではない。例えば、前述の終話操作を検出したタイミングの親機ＣＰＵ５２２による制御として（ステップＳＴ51、ＳＴ52）、画面生成回路２０７が非能動となるような制御ばかりでなく、逆光補正信号生成回路５２２ａが非能動となるように制御することにより、玄関子機５１への電源供給の遮断、すなわち、逆光補正信号の送出が停止されるため、当該テレビドアホン装置は待受状態となる（ステップＳＴ56）。
【００８６】
この後、逆光補正動作時間内において、第１の呼出操作と同一又は別途の来訪者が居住者を呼び出すために、玄関子機５１の呼出ボタン１００を使用して第２の呼出操作を行うと（ステップＳＴ53、ＳＴ54）、前述の第１の呼出操作時と同様、居室親機５２の呼出検出回路２００からの呼出検出信号を受信した親機ＣＰＵ５２２は呼出状態となり、所定の呼出報知を行うことができる（ステップＳＴ55）。
【００８７】
また、居室親機５２において、逆光補正動作時間内における呼出状態の親機ＣＰＵ５２２は、逆光補正信号生成回路５２２ａ及び映像復調回路２０６がそれぞれ能動となるように制御することができる。
【００８８】
前述までの制御により、玄関子機５１のカメラ１０１にて撮像された映像は、映像信号生成回路１０２にて逆光成分が補正された映像信号として、映像信号生成回路１０２から映像変調回路１０４、子機Ｉ／Ｆ５１２、伝送路Ｌ51、居室親機５２の親機Ｉ／Ｆ５２１を経由して映像復調回路２０６に伝送されるため、逆光成分が補正された映像がモニタ２０５に出画されることになる。したがって、居住者にとっては、来訪者による第２の呼出操作時において、居室親機５２の操作部２１３の使用による逆光成分の補正動作を行うための操作が不要となり、玄関子機５１のカメラ１０１にて撮像され逆光成分の補正が行われた映像をモニタ２０５に出画させることができ、ゆえに、第２の呼出操作の時点より、逆光の影響がなく視認性の高い映像を確保することができる（ステップＳＴ55）。
【００８９】
なお、本発明の第２の実施例によるテレビドアホン装置においては、玄関子機５１が有する機能として、居室親機５２からの逆光補正信号を検出するための逆光補正信号検出回路５１３ａを子機ＣＰＵ５１３に内蔵させた態様について説明したが、この態様に限定されるものではない。例えば、逆光補正信号検出回路５１３ａを子機ＣＰＵ５１３から独立させて玄関子機５１に備え、子機ＣＰＵ５１３により制御させることもできる。また、居室親機５２が有する機能として、逆光補正信号を生成するための逆光補正信号生成回路５２２ａ及び計時機能を構成するタイマ回路５２２ｂをそれぞれ親機ＣＰＵ５２２に内蔵させた態様について説明したが、この態様に限定されるものではない。例えば、逆光補正信号検出回路５２２ａ及びタイマ回路５２２ｂのうち少なくとも１の回路、又は何れの回路についても親機ＣＰＵ５２２から独立させて居室親機５２に備え、親機ＣＰＵ５２２により制御させることもできる。
【００９０】
本発明のテレビドアホン装置においては、特定の実施の形態をもって説明してきたが、この形態に限定されるものでなく、本発明の効果を奏する限り、これまで知られた如何なる構成のテレビドアホン装置であっても採用できるということはいうまでもないことである。例えば、火災、ガス漏れ、水漏れ等の住戸内にて発生したセキュリティ異常を警報表示する、及び／又は泥棒等の不審者に対して威嚇するための戸外表示器を玄関子機１、５１に備え、この戸外表示器を居室親機２、５２の制御により駆動させることができるテレビドアホン装置も採用できる。
【図面の簡単な説明】
【００９１】
【図１】図１は、本発明の第１の実施例によるテレビドアホン装置の具体的な構成を示す回路ブロック図である。
【図２】図２は、本発明の第２の実施例によるテレビドアホン装置の具体的な構成を示す回路ブロック図である。
【図３】図３（ａ）、（ｂ）はそれぞれ、本発明の第１、第２の各実施例によるテレビドアホン装置において、具体的な動作の遷移を示すフローチャート図である。
【符号の説明】
【００９２】
１……（第１の実施例による）玄関子機
１０１……カメラ
１０２……映像信号生成回路
１０３……逆光補正信号検出回路
１１２……充放電回路
１１３……子機電源回路
２……（第１の実施例による）居室親機
２０５……モニタ
２０９……親機電源回路
２１０……逆光補正信号生成回路
２１３……操作部
２１４……ＣＰＵ
２１４ａ……タイマ回路
５１……（第２の実施例による）玄関子機
１０１……カメラ
１０２……映像信号生成回路
５１３……子機ＣＰＵ
５１３ａ……逆光補正信号検出回路
５２……（第２の実施例による）居室親機
２０５……モニタ
２０９……親機電源回路
２１３……操作部
５２２……親機ＣＰＵ
５２２ａ……逆光補正信号生成回路
５２２ｂ……タイマ回路
Ｌ1、Ｌ51……伝送路
【図１】
2008311957.tif 000003
【図２】
2008311957.tif 000004
【図３】
2008311957.tif 000005